【手続補正書】
【提出日】平成17年2月8日(2005.2.8)
【手続補正１】
【補正対象書類名】明細書
【補正対象項目名】特許請求の範囲
【補正方法】変更
【補正の内容】
【特許請求の範囲】
【請求項１】
画像形成装置に設けられ現像器を回転させる回転体に着脱可能に装着され、前記回転体に前記現像器と共に実質的に固定された状態で回転可能な現像剤回収容器において、
前記現像器から排出された現像剤を受入れる受入れ口と、
前記現像器から回収した現像剤を収容する収容部と、
前記収容部へ現像剤を排出する排出口が設けられ、前記回転体の回転に伴って、前記受入れ口から受入れた現像剤を前記排出口へ搬送する搬送管と、
を有し、
前記排出口は前記現像剤回収容器の重心近傍に位置することを特徴とする現像剤回収容器。
【請求項２】
前記搬送管は前記受入れ口から前記収容部内に向けて略直線的に突出して設けられることを特徴とする請求項１の現像剤回収容器。
【請求項３】
前記搬送管は、前記収容部内の現像剤が前記回転体の回転に伴って前記回転体の回転方向上流側から前記排出口へ進入するのを防止する進入防止部を有することを特徴とする請求項１又は２の現像剤回収容器。
【請求項４】
前記搬送管は前記排出口よりも搬送方向上流側に設けられた出口を有し、前記進入防止部は前記回転体の回転に伴って前記受入れ口から前記搬送管内を搬送されて前記出口から出てきた現像剤と衝突する面を有し、この現像剤と衝突する面は現像剤が重力によって前記収容部内へ搬送を促される方向に傾斜していることを特徴とする請求項３の現像剤回収容器。
【請求項５】
前記出口は前記受入れ口よりも小さく形成されていることを特徴とする請求項４の現像剤回収容器。
【請求項６】
前記現像剤回収容器は前記受入れ口がこれよりも小さい前記現像器の現像剤排出口と連通するように前記回転体にセットされ、前記回転体が回転しているとき前記現像器の現像剤排出口と前記受入れ口との連通状態が維持されることを特徴とする請求項５の現像剤回収容器。
【請求項７】
前記排出口は前記回転体の回転方向下流側を向くように設けられていることを特徴とする請求項１又は２の現像剤回収容器。
【請求項８】
前記排出口は前記受入れ口よりも小さく形成されていることを特徴とする請求項１又は２の現像剤回収容器。
【請求項９】
前記現像剤回収容器は前記受入れ口がこれよりも小さい前記現像器の現像剤排出口と連通するように前記回転体にセットされ、前記回転体が回転しているとき前記現像器の現像剤排出口と前記受入れ口との連通状態が維持されることを特徴とする請求項８の現像剤回収容器。
【請求項１０】
前記現像剤回収容器は、前記現像器へ補給するための現像剤を収容する現像剤補給容器と一体的に設けられることを特徴とする請求項１の現像剤回収容器。
【請求項１１】
前記現像剤補給容器内に収容された現像剤は非磁性トナーと真比重が２．５以上４．５以下である磁性キャリアを含む混合物であり、前記現像剤回収容器は該非磁性トナーと磁性キャリアを含む混合物を前記現像器より回収することを特徴とする請求項１０の現像剤回収容器。
【請求項１２】
前記現像剤回収容器は断面が非円形であることを特徴とする請求項１の現像剤回収容器。
【請求項１３】
前記収容部と前記搬送管は一体的に設けられることを特徴とする請求項１の現像剤回収容器。
【請求項１４】
画像形成装置に設けられ現像器を回転させる回転体に着脱可能に装着され、前記回転体に前記現像器と共に実質的に固定された状態で回転可能な現像剤回収容器において、
前記現像器から排出された現像剤を受入れる受入れ口と、
前記現像器から回収した現像剤を収容する収容部と、
前記収容部へ現像剤を排出する排出口が設けられ、前記回転体の回転に伴って、前記受入れ口から受入れた現像剤を前記排出口へ搬送する搬送管と、
を有し、
前記搬送管は、前記回転体の回転に伴って前記収容部内の現像剤が前記排出口へ進入するのを防止する進入防止部を有することを特徴とする現像剤回収容器。
【請求項１５】
前記進入防止部は、前記収容部内の現像剤が前記回転体の回転に伴って前記回転体の回転方向上流側から前記排出口へ進入するのを防止することを特徴とする請求項１４の現像剤回収容器。
【請求項１６】
前記搬送管は前記排出口よりも搬送方向上流側に設けられた出口を有し、前記進入防止部は前記回転体の回転に伴って前記受入れ口から前記搬送管内を搬送されて前記出口から出てきた現像剤と衝突する面を有し、この現像剤と衝突する面は現像剤が重力によって前記収容部内へ搬送を促される方向に傾斜していることを特徴とする請求項１５の現像剤回収容器。
【請求項１７】
前記出口は前記受入れ口よりも小さく形成されていることを特徴とする請求項１６の現像剤回収容器。
【請求項１８】
前記現像剤回収容器は前記受入れ口がこれよりも小さい前記現像器の現像剤排出口と連通するように前記回転体にセットされ、前記回転体が回転しているとき前記現像器の現像剤排出口と前記受入れ口との連通状態が維持されることを特徴とする請求項１７の現像剤回収容器。
【請求項１９】
前記搬送管は前記受入れ口から前記収容部内に向けて略直線的に突出して設けられることを特徴とする請求項１４の現像剤回収容器。
【請求項２０】
前記現像剤回収容器は、前記現像器へ補給するための現像剤を収容する現像剤補給容器と一体的に設けられることを特徴とする請求項１４の現像剤回収容器。
【請求項２１】
前記現像剤補給容器内に収容された現像剤は非磁性トナーと真比重が２．５以上４．５以下である磁性キャリアを含む混合物であり、前記現像剤回収容器は該非磁性トナーと磁性キャリアを含む混合物を前記現像器より回収することを特徴とする請求項２０の現像剤回収容器。
【請求項２２】
前記現像剤回収容器は前記受入れ口が前記現像器に設けられた現像剤排出口と連通するように前記回転体にセットされ、前記回転体が回転しているとき前記現像器の現像剤排出口と前記受入れ口との連通状態が維持されることを特徴とする請求項１４の現像剤回収容器。
【請求項２３】
前記収容部と前記搬送管は一体的に設けられることを特徴とする請求項１４の現像剤回収容器。
【請求項２４】
画像形成装置に設けられ現像器を回転させる回転体に着脱可能に装着され、前記回転体に前記現像器と共に実質的に固定された状態で回転可能な現像剤回収容器において、
前記現像器から排出された現像剤を受入れる受入れ口と、
前記現像器から回収した現像剤を収容する収容部と、
前記回転体の回転に伴って前記受入れ口から受入れた現像剤を前記収容部内へ搬送する搬送管と、
を有し、
前記搬送管は前記受入れ口から前記収容部内に向けて略直線的に突出して設けられることを特徴とする現像剤回収容器。
【請求項２５】
前記現像剤回収容器は、仕切り部で仕切られた状態で、前記現像器へ補給するための現像剤を収容する現像剤補給容器と一体的に設けられていることを特徴とする請求項２４の現像剤回収容器。
【請求項２６】
前記仕切り部には、前記現像剤補給容器側から前記現像剤回収容器側へ突出し且つ前記現像剤補給容器側が空洞となっている領域が設けられており、前記搬送管はこの領域上に設けられていることを特徴とする請求項２５の現像剤回収容器。
【請求項２７】
前記現像剤回収容器は前記受入れ口が前記現像器に設けられた現像剤排出口と連通するように前記回転体にセットされ、前記回転体が回転しているとき前記現像器の現像剤排出口と前記受入れ口との連通状態が維持されることを特徴とする請求項２４の現像剤回収容器。
【請求項２８】
前記収容部と前記搬送管は一体的に設けられることを特徴とする請求項２４の現像剤回収容器。
【請求項２９】
画像形成装置に設けられ現像器を回転させる回転体に着脱可能に装着され、前記回転体に前記現像器と共に実質的に固定された状態で回転可能な現像剤回収容器において、
前記現像器から排出された現像剤を受入れる受入れ口と、
前記現像器から回収した現像剤を収容する収容部と、
前記収容部へ現像剤を排出する排出口が設けられ、前記回転体の回転に伴って、前記受入れ口から受入れた現像剤を前記排出口へ搬送する搬送管と、
を有し、
前記排出口は前記回転体の回転方向下流側を向くように設けられていることを特徴とする現像剤回収容器。
【請求項３０】
前記排出口は前記受入れ口よりも小さく形成されていることを特徴とする請求項２９の現像剤回収容器。
【請求項３１】
前記現像剤回収容器は前記受入れ口がこれよりも小さい前記現像器の現像剤排出口と連通するように前記回転体にセットされ、前記回転体が回転しているとき前記現像器の現像剤排出口と前記受入れ口との連通状態が維持されることを特徴とする請求項３０の現像剤回収容器。
【請求項３２】
前記現像剤回収容器は、前記現像器へ補給するための現像剤を収容する現像剤補給容器と一体的に設けられることを特徴とする請求項２９の現像剤回収容器。
【請求項３３】
前記収容部と前記搬送管は一体的に設けられることを特徴とする請求項２９の現像剤回収容器。
【請求項３４】
画像形成装置に設けられ現像器を回転させる回転体に着脱可能に装着され、前記回転体に前記現像器と共に実質的に固定された状態で回転可能な現像剤回収容器において、
前記現像器から排出された現像剤を受入れる受入れ口と、
前記現像器から回収した現像剤を収容する収容部と、
前記収容部へ現像剤を排出する排出口が設けられ、前記回転体の回転に伴って、前記受入れ口から受入れた現像剤を前記排出口へ搬送する搬送管と、
を有し、
前記現像剤回収容器は前記受入れ口がこれよりも小さい前記現像器の現像剤排出口と連通するように前記回転体にセットされ、前記排出口を前記受入れ口よりも小さくすることを特徴とする現像剤回収容器。
【請求項３５】
前記搬送管は前記受入れ口から前記収容部内に向けて略直線的に突出して設けられることを特徴とする請求項３４の現像剤回収容器。
【手続補正２】
【補正対象書類名】明細書
【補正対象項目名】００２０
【補正方法】変更
【補正の内容】
【００２０】
（４）前記搬送管は前記排出口よりも搬送方向上流側に設けられた出口を有し、前記進入防止部は前記回転体の回転に伴って前記受入れ口から前記搬送管内を搬送されて前記出口から出てきた現像剤と衝突する面を有し、この現像剤と衝突する面は現像剤が重力によって前記収容部内へ搬送を促される方向に傾斜していることを特徴とする上記（３）の現像剤回収容器。